(57)【特許請求の範囲】
【請求項１】
流入口及び排出口が形成され、前記流入口によって農産物貯蔵施設に接続され、内部に吸着剤が充填されるプラズマ放電部；及び
前記プラズマ放電部の内部にプラズマを発生させる電極部；を含み、
前記吸着剤は、球形またはペレット形態に形成され、アルミナ、ゼオライトまたはこれらの混合物であり、
前記吸着剤は、触媒として酸化銀（Ａｇ２Ｏ）が担持されており、
前記農産物貯蔵施設で発生したエチレンが、前記プラズマ放電部におけるプラズマ及び触媒の複合作用により繰り返し分解されることを特徴とするエチレン処理装置。
【請求項２】
前記プラズマ放電部は、所定面積に導電領域が形成され、前記導電領域には、前記プラズマ放電部の外側表面を取り囲むように形成されたコイルがさらに含まれることを特徴とする請求項１に記載のエチレン処理装置。
【請求項３】
前記コイルは、銅線、鉄線またはアルミニウム線からなり、接地電極を接触していることを特徴とする請求項２に記載のエチレン処理装置。
【請求項４】
前記プラズマ放電部は、石英管、ガラス管、アルミナ管またはセラミック管からなることを特徴とする請求項１に記載のエチレン処理装置。
【請求項５】
前記電極部は、前記プラズマ放電部の内部通路に延長され、前記プラズマ放電部と同一な軸の金属棒であることを特徴とする請求項１に記載のエチレン処理装置。
【請求項６】
前記電極部は、前記プラズマ放電部に電力を供給してプラズマを発生させる電圧供給装置と連結されることを特徴とする請求項１に記載のエチレン処理装置。
【請求項７】
前記触媒は、０．２〜１０ｗｔ％の濃度で前記吸着剤に担持されていることを特徴とする請求項１に記載のエチレン処理装置。
【請求項８】
請求項１〜請求項７のうちいずれか１項によるエチレン処理装置を利用して、
（ａ）前記吸着剤が充填されたプラズマ放電部内にエチレンを含有したガスを注入する段階；
（ｂ）前記電極部に電圧を印加し、前記プラズマ放電部内にプラズマを発生させて注入されたエチレンを分解する段階；及び
（ｃ）前記プラズマ放電部を冷却させる段階；を含むことを特徴とするエチレン処理方法。
【請求項９】
前記エチレンを分解する段階は、前記プラズマ放電部内に酸素を流入させる段階；及び
前記エチレンは前記酸素と反応して二酸化炭素と水蒸気に酸化される段階：を含むことを特徴とする請求項８に記載のエチレン処理方法。
【発明の詳細な説明】
【技術分野】
【０００１】
本発明は、農産物貯蔵施設から発生されるエチレンを除去することができるエチレン処理装置及び処理方法に関する。
【背景技術】
【０００２】
一般的に、農産物は、生産地で収穫されて中間蒐集商を通じて中央市場に販売された後、問屋と小売商を通じて消費者に供給され、このような流通過程で多量の農産物が短時間または長期間低温倉庫に保管される。
【０００３】
一方、倉庫に貯蔵される農産物のうち果物と野菜は、大気中で自然的に発生するエチレンガス（Ｃ２Ｈ２）により腐敗するか、すぐにしなびるので長期間保管することができなかった。したがって、果物と野菜は出荷時期の調節が難しいので需要による供給量を合わせにくいという問題点があり、腐敗による商品価値の下落により農民において経済的損失をもたらす問題点があった。
【０００４】
このような問題点を解決するためにエチレンガス中和剤が開発されて使用されており、これによって、前記エチレンガス中和剤を貯蔵倉庫に拡散させるための装置が要求された。その関連技術では、大韓民国特許登録第１０−０７４５１４２号（以下、従来技術と称する）に公知された農産物貯蔵倉庫用空調装置がある。
【０００５】
上述の従来技術の場合、農産物の腐敗を促進させるエチレンガスを抑制することができる中和剤を倉庫内に拡散させて農産物の腐敗を抑制する効果があり、貯蔵期間を従来よりふやして農産物の出荷販売時期を調節することで農産物価格の安定をはかることができる長所がある。
【０００６】
しかし、エチレンガスを抑制するためには別途の中和剤を持続的に使用する必要があり、エチレンガス外に各種細菌、悪臭、浮遊カビの胞子などが除去されず、湿度の調節も行われなくて、収穫物は新鮮度が維持される最適の条件で貯蔵されにくい問題点があった。
【０００７】
その外にも、低温プラズマ工程がエチレンの分解に利用されることがあるが、上述の低温プラズマ工程は、エチレンを効果的に分解させることはできるが、連続的に運転されて電力が持続的に消費され、エチレンのプラズマ分解時にアルデヒド類、有機酸など有害副産物が発生して農産物貯蔵施設の空気の質を悪化させる問題点があった。
【先行技術文献】
【特許文献】
【０００８】
【特許文献１】韓国登録特許第１０−０７４５１４２号公報
【発明の概要】
【発明が解決しようとする課題】
【０００９】
本発明は、有害副産物が生成されず、消費電力を最小化させて運転費用を軽減することができるエチレン処理装置及びエチレン処理方法を提供することを目的とする。
【課題を解決するための手段】
【００１０】
本発明は、流入口及び排出口が形成され、内部に吸着剤が充填されるプラズマ放電部；及び前記プラズマ放電部の内部にプラズマを発生させる電極部；を含み、前記吸着剤は、触媒が担持されていることを特徴とするエチレン処理装置を提供する。
【００１１】
本発明は、前記エチレン処理装置を利用して、（ａ）前記吸着剤が充填されたプラズマ放電部内にエチレンを含有したガスを注入する段階；（ｂ）前記電極部に電圧を印加し、前記プラズマ放電部内にプラズマを発生させて注入されたエチレンを分解する段階；及び（ｃ）前記プラズマ放電部を冷却させる段階；を含むエチレン処理方法を提供する。
【発明の効果】
【００１２】
本発明は、触媒が担持された吸着剤にエチレンが蓄積されることで、プラズマ及び触媒複合作用により前記エチレンを短時間に分解することができ、有害副産物の生成なしにエチレンを分解することができる。
【図面の簡単な説明】
【００１３】
【図１】本発明の一実施例によるエチレン処理装置の概略図である。
【図２】本発明の一実施例によるエチレン処理装置の構成を示した図である。
【図３】本発明の一実施例によるエチレン処理装置の構成を示した図である。
【図４】本発明の一実施例によるエチレン処理方法の概略図である。
【図５】本発明の一実施例で蓄積されたエチレンをプラズマ／触媒複合作用により分解する段階においてＣＯ２とＣＯの濃度を示したグラフである。
【図６】（ａ）は、エチレンのＦＴＩＲスペクトラム、（ｂ）は、吸着されたエチレンをプラズマ／触媒作用により処理した時のＦＴＩＲスペクトラムを示したグラフである。
【発明を実施するための形態】
【００１４】
本発明は、エチレン処理装置に関するもので、流入口及び排出口が形成され、内部に吸着剤が充填されたプラズマ放電部及び前記プラズマ放電部の内部にプラズマを発生させる電極部を含み、前記吸着剤は、触媒が担持されていることを特徴とする。
【００１５】
特に、前記プラズマ放電部は、所定面積に導電領域が形成され、前記導電領域には、前記プラズマ放電部の外側表面を取り囲むように形成されたコイルがさらに含まれ、前記コイルは、銅線、鉄線またはアルミニウム線からなり得る。また、前記コイルは、接地電極を接触していることを特徴とする。
【００１６】
また、前記プラズマ放電部は、石英管、ガラス管、アルミナ管またはセラミック管からなり、前記電極部は、前記プラズマ放電部の内部通路に延長され、前記プラズマ放電部と同一な軸の金属棒であり得る。さらに、前記電極部は、前記プラズマ放電部に電力を供給してプラズマを発生させる電圧供給装置と連結され得る。
【００１７】
一方、前記吸着剤は、アルミナ、ゼオライトまたはこれらの混合物であり、前記吸着剤は、球形またはペレット形態であり得る。また、前記触媒は、二酸化マンガン（ＭｎＯ２）、酸化銅（ＣｕＯ）、酸化鉄（Ｆｅ２Ｏ３）、酸化銀（Ａｇ２Ｏ）、五酸化バナジウム（Ｖ２Ｏ５）、酸化亜鉛（ＺｎＯ）及び二酸化チタン（ＴｉＯ２）のうちいずれか一つまたはこれらの混合物であり得る。前記触媒は、０．２〜１０ｗｔ％の濃度で前記吸着剤に担持されていることを特徴とする。
【００１８】
また、本発明は、エチレン処理装置を利用したエチレン処理方法に関するもので、（ａ）前記吸着剤が充填されたプラズマ放電部内にエチレンを含有したガスを注入する段階；（ｂ）前記電極部に電圧を印加し、前記プラズマ放電部内にプラズマを発生させて注入されたエチレンを分解する段階；及び（ｃ）前記プラズマ放電部を冷却させる段階；を含む。
【００１９】
また、前記エチレンを含有したガスは、前記触媒が担持された吸着剤に蓄積され得る。
【００２０】
特に、前記エチレンを分解する段階は、前記プラズマ放電部内に酸素を流入させる段階及び前記エチレンは前記酸素と反応して二酸化炭素と水蒸気に酸化される段階を含み、前記エチレンを分解する段階での反応温度は、３０〜９０℃であり得る。
【００２１】
以下、添付された図面を参照して本発明の好ましい実施例を詳しく説明する。本明細書及び請求範囲において使用された用語や単語は、通常的や辞書的な意味に限定して解釈してはならず、発明者はその自分の発明を最善の方法で説明するために用語の概念を適切に定義することができるという原則に即して本発明の技術的思想に符合する意味と概念で解釈されなければならない。
【００２２】
したがって、本明細書に記載した実施例と図面に図示された構成は、本発明の一番好ましい一実施例に過ぎず、本発明の技術的思想をすべて代弁するものではないので、本出願の時点においてこれらを代替することができる多様な均等物と変形例があり得ることが理解されなければならない。
【００２３】
図１は、本発明の一実施例によるエチレン処理装置の概路図、図２は、本発明の一実施例によるエチレン処理装置の構成を示した図、図３は、本発明の一実施例によるエチレン処理装置の構成を示した図、図４は、本発明の一実施例によるエチレン処理方法の概略図、図５は、本発明の一実施例で蓄積されたエチレンをプラズマ／触媒複合作用により分解する段階においてＣＯ２とＣＯの濃度を示したグラフ、図６の（ａ）は、エチレンのＦＴＩＲスペクトラム、（ｂ）は、吸着されたエチレンをプラズマ／触媒作用で処理した時のＦＴＩＲスペクトラムを示したグラフである。以下、図１〜図６と実施例を通じて本発明であるエチレン処理装置及びエチレン処理方法を詳しく説明する。
【００２４】
本発明は、図１に示したように、農産物貯蔵施設２０から発生するエチレンを除去することができるエチレン処理装置及び処理方法に関する。より具体的には、農産物貯蔵施設２０から発生するエチレンは、エチレン処理装置１０でプラズマ／触媒複合作用により酸素と反応して二酸化炭素と水蒸気に酸化させることで、前記エチレンを除去することができる。
【００２５】
図２に示したように、本発明のエチレン処理装置１０は、プラズマ放電部１００と電極部１２０で構成され、前記プラズマ放電部１００の内部には、触媒が担持された吸着剤１１０を含むことを特徴とする。
【００２６】
ここで、吸着剤１１０とは、気体または液体である吸着質を吸収する物質を意味する。本発明で吸着剤１１０は、エチレンを吸着するためのもので、具体的な説明は後述する。
【００２７】
本発明のプラズマ放電部１００は、円筒状であり、一側にエチレンを含むガスと空気を流入する流入口１０１が形成され、他側には浄化された空気が排出される排出口１０２を含む。一例で、流入口１０１は少なくとも二つを含むことができ、エチレンを含むガスが流入される流入口は第１流入口１０１と指称し、空気が流入される流入口は第２流入口１０１’と指称し得る。
【００２８】
また、本発明のプラズマ反応器は、プラズマ生成に十分な相対誘電率定数を有する管からなり、石英管、ガラス管、アルミナ管またはセラミック管からなり得る。一例で、石英管からなり得る。
【００２９】
これに加えて、前記プラズマ放電部１００は、所定面積に導電領域が形成され、前記導電領域には、前記プラズマ放電部１００の外側表面を取り囲むようにコイル１３０がさらに含まれることができる。この時、コイル１３０は、銅線、鉄線、アルミニウム線などの導電体からなり、高周波電力がプラズマ放電部１００内の導電領域に対応する電極部１２０に供給されて放電が円滑に発生し得る。特に、前記導電領域にのみ吸着剤１１０が充填され得る。
【００３０】
また、前記コイル１３０は、接地電極１３１を接触することができる。ここで、接地電極１３１とは、接地するために大地中に埋設される電極で、金属棒、板金、金属メッシュであり、本発明は、Ｙ字状接地電極１３１であり得る。
【００３１】
特定様態として、本発明の電極部１２０は、前記プラズマ放電部１００の内部通路に延長され、前記プラズマ放電部１００と同一な軸の金属棒であり得る。また、前記金属棒は、ステンレススチール、銅、黄銅、青銅、タングステンまたはモリブデンからなり得る。
【００３２】
図３を参照すれば、電極部１２０は、プラズマ放電部１００に電力を供給してプラズマを発生させる電圧供給装置２００と連結され得る。この時、前記電圧供給装置２００は、時間による入力電圧の変化を画面に出力するためにオシロスコープを追加で連結設置し得る。
【００３３】
一方、本発明の吸着剤１１０は、エチレンを蓄積させるもので、プラズマ放電部１００内に含まれ得る。特に、プラズマが発生して気体がプラズマ状態になれば、ラジカル、イオン、高エネルギー電子、浮き立った状態の分子のような多様な活性成分が生成され、これら活性成分がエチレンの分解開始反応や分解中間生成物の酸化に関与してエチレンを最終的に二酸化炭素に酸化させるようになる。この時、吸着剤１１０は、アルミナ、ゼオライトまたはこれらの混合物であり、その形態は、球形またはペレット形態であり得る。一例で、ペレット形態のゼオライトであり得る。
【００３４】
特に、前記ゼオライトは、４Ａ、Ｙ、１３Ｘ、ベータ（ｂｅｔａ）またはガンマ（ｇａｍｍａ）であり得る。
【００３５】
また、前記吸着剤１１０に担持された触媒は、プラズマにより活性化されて低い温度でも触媒作用を起こすので、蓄積されたエチレンをよりはやく分解することができる。特に、触媒は、０．２〜１０ｗｔ％の濃度で前記吸着剤１１０に担持され、前記吸着剤１１０に蓄積されたエチレンは、プラズマ発生により分解されながらＨ２Ｏ及びＣＯ２を生成し得る。このとき、前記触媒は、二酸化マンガン（ＭｎＯ２）、酸化銅（ＣｕＯ）、酸化鉄（Ｆｅ２Ｏ３）、酸化銀（Ａｇ２Ｏ）、五酸化バナジウム（Ｖ２Ｏ５）、酸化亜鉛（ＺｎＯ）及び二酸化チタン（ＴｉＯ２）のうちいずれか一つまたはこれらの混合物であり得る。
【００３６】
また、農産物貯蔵施設２０のエチレン除去に利用される触媒は、合成反応用触媒と異なり常温で使用しなければならないので低温活性が要求され、信頼性だけではなく耐久性が要求されるので、機械的安全性を高めることができる構造が好ましい。特に、本発明では、機械的安全性を高めるためにナノサイズの触媒を吸着剤１１０に担持して使用することができ、触媒の低温活性のために熱の代わりにプラズマを利用して触媒が低い温度で活性化されるようにした。より具体的に、本発明で反応温度は、３０〜９０℃であり得る。本発明の一実施例で、吸着剤１１０は、ゼオライトを使用し、触媒としてナノサイズの酸化銀（Ａｇ２Ｏ）を使用し得る。
【００３７】
特に、前記ゼオライトは、高比表面積を有しており、ここに酸化銀（Ａｇ２Ｏ）を担持する場合、高度に分散されたナノ触媒が製造され得、ゼオライト吸着剤１１０にナノサイズの酸化銀（Ａｇ２Ｏ）を担持する場合、吸着能が大きく増加するので、長時間の間エチレンが高度に蓄積され得る。
【００３８】
以下、添付した図面を参照して本発明によるエチレン処理装置を利用してエチレンを除去するエチレン除去方法に対して詳しく説明する。
【００３９】
本発明のエチレン除去方法は、吸着剤１１０に蓄積されたエチレンを分解する短い瞬間にのみ電力を消費するので電力消費が非常に低く、プラズマの触媒活性化効果によりエチレンが触媒作用によっても分解されるのでエチレンがはやく除去され得る。特に、触媒作用により有害副産物であるアルデヒドや有機酸がほとんど発生せず、分解されたエチレンが二酸化炭素に完全に酸化される特徴がある。
【００４０】
図４を参照すれば、本発明のエチレン除去方法は、（ａ）プラズマ放電部１００内にエチレンを含有したガスを注入する段階、（ｂ）プラズマ放電部１００内にプラズマを発生させて注入されたエチレンを分解する段階及び（ｃ）プラズマ放電部１００を冷却させる段階を含む。特に、前記３つの段階は、繰り返しサイクルで構成され得る。
【００４１】
まず、プラズマ放電部１００内にエチレンを含有したガスを注入する前に吸着剤１１０を充填させる必要があり、吸着剤１１０が充填されたプラズマ放電部１００内にエチレンを含有したガスを注入する。すると、前記エチレンを含有したガスは触媒が担持された吸着剤１１０に蓄積され得る。特に、エチレンは、蒸気圧が非常に高くて一般的な吸着剤１１０には吸着能が低いが、本発明のようなゼオライトまたはアルミナにナノサイズの触媒を担持する場合には、吸着能を増加させ得る。
【００４２】
この時、吸着剤１１０に蓄積されないガスであるエチレンが除去されたガスは、農産物貯蔵施設２０に再循環され、この段階が終了すると、エチレンガスがプラズマ放電部１００内に流入されないように流入口１０１を遮断する。
【００４３】
また、エチレンを分解する段階では、本発明の電極部１２０に電圧を印加することで、プラズマ放電部１００内にプラズマを発生させ得る。一方、前記エチレン分解段階では、電圧を印加すると同時にプラズマ内に空気を流入させ得る。すなわち、プラズマ放電部１００内に空気を流入させながら交流高電圧を印加することで、吸着剤１１０に蓄積されたエチレンを二酸化炭素と水蒸気に酸化させ得る。
【００４４】
Ｃ２Ｈ２＋３Ｏ２→２ＣＯ２＋２Ｈ２Ｏ（反応式）
【００４５】
特に、電極部１２０に印加される交流高電圧の周波数は適切に調節される必要がある。周波数が過度に高いと、電気的な整合問題により電力が非効率的に消耗され、周波数が過度に低いと、プラズマが生成されず気体が活性化しない恐れがあるので、このような点を総合的に考慮するとき、前記電極部１２０に印加される周波数は、５０Ｈｚ〜１０００Ｈｚであることが好ましい。
【００４６】
この時、生成された二酸化炭素と水蒸気は、外部に排気させることが好ましい。より具体的に、生成された二酸化炭素と水蒸気を農産物貯蔵施設２０に再流入させると、炭酸が生成されて貯蔵施設内部が酸性化されるのでこれを防止するためである。
【００４７】
特定様態として、前記エチレンを分解する段階は、電圧が印加される段階なので前記プラズマ放電部１００が３０〜９０℃に加熱され得る。
【００４８】
また、プラズマ放電部１００を冷却させる段階は、温度が高いと、吸着剤１１０のエチレン吸着性能が低下されるので、冷却過程を経ることができる。この時、１５〜４０℃に冷却させることができ、冷却段階を経てからさらに吸着剤１１０を含むプラズマ放電部内にエチレンを含有したガスを注入してエチレンを前記吸着剤１１０に蓄積することで、このような過程を繰り返すことができる。
【００４９】
一方、農産物は、エチレンにより後熟（ａｆｔｅｒｒｉｐｅｎｉｎｇ）が促進されるが、各種微生物により腐敗もする。本発明のエチレン処理装置は、エチレン処理性能以外にも農産物貯蔵施設の空気中に浮遊する各種微生物をプラズマ触媒作用により滅菌させることができるので、エチレン処理と殺菌という二つの目的を一つの装置内で達成し得る。
【００５０】
以下、本発明の理解を助けるために実験例を参照して詳細に説明する。ただし、下記の実験例は、本発明の内容を例示するものに過ぎず、本発明の範囲が下記実験例に限定されるものではない。本発明の実験例は、当業界で平均的な知識を有した者に本発明をより完全に説明するために提供されるものである。
【００５１】
＜実験例＞
［実験例１．実験材料］
本発明の実験例では、吸着剤にゼオライト（Ｃｏｓｍｏ  Ｆｉｎｅ  ｃｈｅｍｉｃａｌ）を使用した。より具体的に、４Ａ、Ｙ、１３Ｘ、ベータ（ｂｅｔａ）の総４種類のゼオライトを比較して、エチレンに対する吸着性能が一番優秀な１３Ｘを触媒の支持体（吸着剤）に使用した。前記１３Ｘ（Ｍｏｌｅｃｕｌａｒ  Ｓｉｅｖｅ  １３Ｘ）の比表面積は、約５００ｍ２／ｇであった。
【００５２】
模擬エチレンガスは、窒素とエチレンを混合して製造した。具体的に、窒素１Ｌ／ｍｉｎにエチレン０．２２ｃｍ３／ｍｉｎを混合して製造し、濃度２２０ｐｐｍのエチレンガスを製造した。実際の農産物貯蔵施設のエチレン濃度はこれよりずっと低い２０ｐｐｍ未満である。
【００５３】
［実験例２．エチレン処理装置を利用した農産物貯蔵施設内のエチレン除去］
本発明の実験例を通じてエチレン処理装置を利用して農産物貯蔵施設のエチレンを除去した。
【００５４】
まず、プラズマ放電部に高電圧を供給しない状態で、模擬エチレンガスを一定時間プラズマ放電部に流入させてゼオライトに蓄積されるようにした（１段階）。この時、模擬エチレンガスをプラズマ放電部に流入するときの流量は、１Ｌ／ｍｉｎであった。
【００５５】
模擬エチレンガスを注入する段階が終了して模擬エチレンガスの流入を中止し、代わりに空気（窒素：８０％、酸素：２０％）を１Ｌ／ｍｉｎで供給した。これと同時に、電極部１２０に高電圧を印加してプラズマ放電部内にプラズマを生成させた（２段階）。交流高電圧は、交流電源装置（ＡＣ  ｐｏｗｅｒ  ｓｏｕｒｃｅ）と変圧器（ｔｒａｎｓｆｏｒｍｅｒ）により供給し、電圧は、オシロスコープ（Ｔｅｋｔｒｏｎｉｘ  ＴＤＳ３０３２）で観察した。この段階が終了した後、プラズマ放電部を５分間自然冷却させた（３段階）。
【００５６】
この時、供給された高電圧は、実効値を基準に１８．５ｋｖであり、電圧−電荷線図によって測定された放電電力は、約１７Ｗであった。また、本発明の実験例で使用した交流高電圧供給装置の周波数は、４００Ｈｚであった。
【００５７】
一方、１段階で３２ｐｐｍのエチレンを５００分間ゼオライトに吸着／蓄積し、２段階でプラズマ／触媒複合作用により蓄積されたエチレンを２５分間分解した。前記２段階でプラズマの作用によりプラズマ放電部の温度が約９０℃に上昇して、３段階では、プラズマ放電部を５分間１５〜４０℃の温度に自然冷却させた。前記１段階〜３段階を３回繰り返してエチレンを分解した。
【００５８】
特に、前記２段階は、９０Ｗの電力が消費（放電電力１７Ｗ）されたが、電力が消費される時間は２５分で非常に短くて全体処理過程（５３０分）に比べて電力消費は非常に低い方であることを確認した。
【００５９】
処理されたガスは、エチレン処理装置の排出口を通じてフーリエ変換赤外分光器（ＦＴＩＲ、Ｂｒｕｋｅｒ  ＩＦＳ  ６６／Ｓ）とガスクロマトグラフ（ＧＣ、Ｂｒｕｋｅｒ  ４５０  ＧＣ）を順次に経て分析された。
【００６０】
図５は、吸着蓄積されたエチレンをプラズマ／触媒複合作用により分解したときに発生するＣＯ２とＣＯの濃度を示したグラフで、図５を参照すれば、１段階でゼオライトに吸着／蓄積されたエチレンが２段階で大部分二酸化炭素に酸化されたことを確認できた。前記二酸化炭素外にも少しの一酸化炭素が観察され、２回、３回のサイクルを繰り返しても類似なＣＯ２及びＣＯが観察されたことを確認できた。より具体的に、ＣＯ２は、排出口を通じて排出されたガスの全体９３．２％を占めて、ＣＯは、６．８％を占めた。ここで、ＣＯ２よりＣＯの発生量が極めて少ないことを確認することができた。
【００６１】
［実験例３．エネルギー収率（Ｅｎｅｒｇｙ  ｙｉｅｌｄ）］
エネルギー収率（ｅｎｅｒｇｙ  ｙｉｅｌｄ）とは、処理されたエチレンの量／投入された電気エネルギーを意味する。３２ｐｐｍのエチレンを５００ｍｉｎ間吸着／蓄積させたとき、総吸着量は、１８．７ｍｇであり、２０ｍｉｎ（１２００ｓｅｃ）間のプラズマ／触媒分解段階に投入された電気エネルギーは、１７Ｗ×１２００ｓｅｃ＝２０４００Ｊ（２０．４ｋＪ）である。したがって、エネルギー収率は、０．９２ｍｇ／ｋＪである。本発明と異なり３２ｐｐｍのエチレンを１７Ｗで５００ｍｉｎ間連続して処理したときのエネルギー収率は、０．０３７ｍｇ／ｋＪである。
【００６２】
したがって、本発明は、プラズマを連続処理してエチレンを処理した時より非常に経済的であることが分かる。
【００６３】
［実験例４．エチレンのＦＴＩＲスペクトラム］
図６の（ａ）は、エチレンのＦＴＩＲスペクトラムであり、（ｂ）は、吸着されたエチレンをプラズマ／触媒作用により処理した時のＦＴＩＲスペクトラムを示した図である。図６に示したように、エチレンに起因した有害副産物の生成はほとんどなかった。これはプラズマ―触媒複合作用によりエチレンの中間酸化物がＣＯ２やＣＯに酸化されたことを意味する。
【符号の説明】
【００６４】
１０：エチレン処理装置
２０：農産物貯蔵施設
１００：プラズマ放電部
１０１、１０１’：流入口
１０２：排出口
１１０：吸着剤
１２０：電極部
１３０：コイル
１３１：接地電極
２００：電圧供給装置
【図１】
0006416405.tif 000002
【図２】
0006416405.tif 000003
【図３】
0006416405.tif 000004
【図４】
0006416405.tif 000005
【図５】
0006416405.tif 000006
【図６】
0006416405.tif 000007